(57)【要約】【課題】レンズ系の最像側面から像面までの間のにある光学素子による諸収差の発生を補正可能なレンズ系を提供する。【解決手段】少なくとも１枚のレンズ素子で構成されたレンズ群を複数有するレンズ系であって、無限遠合焦状態から近接物体合焦状態へのフォーカシングの際に像面に対して光軸に沿って移動するフォーカスレンズ群と、少なくとも１つのレンズ素子を有し、像面に対して光軸に沿って移動する収差補正レンズ群とを備え、収差補正レンズ群は、フォーカシングの際にフォーカスレンズ群または/および像面に対して固定であり、条件：０．１＜｜ｆａｄｊ／ｆｆｏｃｕｓ｜＜９．５（ｆａｄｊ：収差補正レンズ群の焦点距離、ｆｆｏｃｕｓ：フォーカスレンズ群の焦点距離）を満足するレンズ系。【選択図】図１
2017122861.tif 000002
【特許請求の範囲】
【請求項１】
少なくとも１枚のレンズ素子で構成されたレンズ群を複数有するレンズ系であって、
無限遠合焦状態から近接物体合焦状態へのフォーカシングの際に像面に対して光軸に沿って移動するフォーカスレンズ群と、
少なくとも１つのレンズ素子を有し、像面に対して光軸に沿って移動する収差補正レンズ群と、を備え、
前記収差補正レンズ群は、フォーカシングの際に前記フォーカスレンズ群または像面に対して固定であり、
以下の条件（１）を満足するレンズ系：
０．１＜｜ｆａｄｊ／ｆｆｏｃｕｓ｜＜９．５        ・・・（１）
ここで、
ｆａｄｊ：収差補正レンズ群の焦点距離
ｆｆｏｃｕｓ：フォーカスレンズ群の焦点距離
である。
【請求項２】
下記の条件（２）を満足する、請求項１に記載のレンズ系：
０．０５＜｜ｆａｄｊ／ｆ｜＜２        ・・・（２）
ここで、
ｆ：レンズ系全系の無限遠合焦状態での焦点距離
である。
【請求項３】
下記の条件（３）を満足する、請求項１または２に記載のレンズ系：
１．５＜｜ｆａｄｊ／Ｈ｜＜３０        ・・・（３）
ここで、
Ｈ：レンズ系の像高
である。
【請求項４】
下記の条件（４）を満足する、請求項１から３のいずれかに記載のレンズ系：
０．０５＜｜ｆａｄｊ／Ｌ｜＜５        ・・・（４）
ここで、
Ｌ：レンズ系の光学全長
【請求項５】
下記の条件（５）を満足する、請求項１から４のいずれかに記載のレンズ系：
０．２＜Ｈ×Ｆｎｏ．／ｆ＜１．５  ・・・（５）
ここで、
Ｆｎｏ．：レンズ系のＦ値
である。
【請求項６】
下記の条件（６）を満足する、請求項１から５のいずれかに記載のレンズ系：
０．５＜｜ｆｆｏｃｕｓ／ｆ｜＜１２  ・・・（６）
ここで、
ｆｆｏｃｕｓ：フォーカスレンズ群の焦点距離（複数のフォーカスレンズ群がある場合は絶対値が小さい方の値）
である。
【請求項７】
下記の条件（７）を満足する、請求項１から６のいずれかに記載のレンズ系：
２＜｜ｆｆｏｃｕｓ／Ｈ｜＜２５  ・・・（７）
【請求項８】
下記の条件（８）を満足する、請求項１から７のいずれかに記載のレンズ系：
０．３＜｜ｆｆｏｃｕｓ／Ｌ｜＜３  ・・・（８）
【請求項９】
下記の条件（９）を満足する、請求項１から８に記載のレンズ系：
０．１＜ＬＣ／Ｌ＜１  ・・・（９）
ここで、
ＬＣ：収差補正レンズ群の最像側面から像面までの光軸上の距離
である。
【請求項１０】
下記の条件（１０）を満足する、請求項１から９のいずれかに記載のレンズ系：
１＜ＬＣ／ＢＦ＜３  ・・・（１０）
ここで、
ＢＦ：レンズ系のバックフォーカス  である。
【請求項１１】
前記収差補正レンズ群は、１枚のレンズ素子より構成されている、
請求項１から１０のいずれかに記載のレンズ系。
【請求項１２】
開口絞りをさらに備え、
前記収差補正レンズ群は、前記開口絞りよりも像面側に配置されている、
請求項１から１１のいずれかに記載のレンズ系。
【請求項１３】
少なくとも１枚のレンズ素子で構成されたレンズ群を複数有するレンズ系であって、無限遠合焦状態から近接物体合焦状態へのフォーカシングの際に像面に対して光軸に沿って移動する収差補正レンズ群と、少なくとも１枚のレンズ素子を有し、像面に対して光軸に沿って移動する収差補正レンズ群とを有し、前記収差補正レンズ群は、フォーカシングの際にフォーカスレンズ群または／および像面に対して固定であり、以下の条件（１）：
０．１＜｜ｆａｄｊ／ｆｆｏｃｕｓ｜＜９．５        ・・・（１）
を満足するレンズ系と、
撮像素子を有するカメラ本体との接続が可能なレンズマウント部と、を備え、
カメラ本体から信号を取得し、該信号に応じて収差補正レンズ群が移動する、交換レンズ装置。
【請求項１４】
前記レンズ系を一律に光軸に沿って移動させることで前記撮像素子から前記レンズ系の最像側面までの空気間隔を変化させるバックフォーカス調整機構を備える、請求項１３に記載の交換レンズ装置。
【請求項１５】
操作部をさらに備え、
前記収差補正レンズ群は前記操作部によって移動する、
請求項１３または１４に記載の交換レンズ装置。
【請求項１６】
請求項１３から１５のいずれかに記載の交換レンズ装置と、
前記交換レンズ装置とカメラマウント部を介して着脱可能に接続され、撮像素子を有するカメラ本体と、を備える、カメラシステム。
【発明の詳細な説明】
【技術分野】
【０００１】
本開示は、レンズ系、交換レンズ装置及びカメラシステムに関する。
【背景技術】
【０００２】
交換レンズ装置やカメラシステム等の、光電変換を行う撮像素子を持つカメラに対する高性能化の要求は極めて高く、このようなカメラに用いるレンズ系が種々提案されている。このようなカメラはレンズ系の最像面側から像面までの間、特にカメラ本体にローパスフィルタ、撮像素子のカバーガラスなどの平行平板を有するが、これら平行平板の光路長はカメラ毎に異なり、交換レンズ装置を取り付けるカメラ本体が変わることで生成される光学像の光学性能が変化してしまう。
【０００３】
特許文献１、２は、平行平板の光路長の変化による性能増減を補正するシステム、レンズを開示している。
【先行技術文献】
【特許文献】
【０００４】
【特許文献１】特開２０００−０６６２８６号公報
【特許文献２】特開２０１０−０２０１８８号公報
【発明の概要】
【発明が解決しようとする課題】
【０００５】
本開示は、レンズ系の最像側面から像面までの間にある光学素子による諸収差の発生を補正可能なレンズ系を提供する。また本開示は、該レンズ系を含む交換レンズ装置及び該交換レンズ装置を備えたカメラシステムを提供する。
【課題を解決するための手段】
【０００６】
本開示におけるレンズ系は、少なくとも１枚のレンズ素子で構成されたレンズ群を複数有するレンズ系であって、無限遠合焦状態から近接物体合焦状態へのフォーカシングの際に像面に対して光軸に沿って移動するフォーカスレンズ群と、少なくとも１つのレンズ素子を有し、像面に対して光軸に沿って移動する収差補正レンズ群と、を備え、収差補正レンズ群は、フォーカシングの際にフォーカスレンズ群または／および像面に対して固定であり、以下の条件（１）：
０．１＜｜ｆａｄｊ／ｆｆｏｃｕｓ｜＜９．５        ・・・（１）
（ここで、
ｆａｄｊ：収差補正レンズ群の焦点距離
ｆｆｏｃｕｓ：フォーカスレンズ群の焦点距離
である。）  
を満足することを特徴とする。
【０００７】
また、本開示における交換レンズ装置は、少なくとも１枚のレンズ素子で構成されたレンズ群を複数有するレンズ系であって、無限遠合焦状態から近接物体合焦状態へのフォーカシングの際に像面に対して光軸に沿って移動するフォーカスレンズ群と、少なくとも１つのレンズ素子を有し、像面に対して光軸に沿って移動する収差補正レンズ群と、を備え、収差補正レンズ群は、フォーカシングの際にフォーカスレンズ群または／および像面に対して固定であり、以下の条件（１）：
０．１＜｜ｆａｄｊ／ｆｆｏｃｕｓ｜＜９．５        ・・・（１）
を満たすレンズ系と、撮像素子を有するカメラ本体との接続が可能なレンズマウント部とを備え、カメラ本体から信号を取得し、信号に応じて収差補正レンズ群が移動することを特徴とする。
【０００８】
また、本開示におけるカメラシステムは、少なくとも１枚のレンズ素子で構成されたレンズ群を複数有するレンズ系であって、無限遠合焦状態から近接物体合焦状態へのフォーカシングの際に像面に対して光軸に沿って移動するフォーカスレンズ群と、少なくとも１つのレンズ素子を有し、像面に対して光軸に沿って移動する収差補正レンズ群と、を備え、収差補正レンズ群は、フォーカシングの際にフォーカスレンズ群または／および像面に対して固定であり、以下の条件（１）：
０．１＜｜ｆａｄｊ／ｆｆｏｃｕｓ｜＜９．５        ・・・（１）
を満たすレンズ系とレンズマウント部とを有する交換レンズ装置と、撮像素子を有し、カメラマウント部を介して交換レンズ装置と着脱可能に接続されるカメラ本体とを備え、収差補正レンズ群は、カメラ本体からの信号に応じて移動することを特徴とする。
【発明の効果】
【０００９】
本開示におけるレンズ系は、レンズ系の最像側面から像面までの間にある平行平板の光路長変化に伴う諸収差の発生、特に球面収差の発生を補正することが可能である。
【図面の簡単な説明】
【００１０】
【図１】実施の形態１（数値実施例１）の初期状態に係るレンズ系の無限遠合焦状態及び近接物体合焦状態を示すレンズ配置図
【図２】数値実施例１の初期状態に係るレンズ系の無限遠合焦状態及び近接物体合焦状態の縦収差図
【図３】数値実施例１の変動状態に係るレンズ系の無限遠合焦状態及び近接物体合焦状態の縦収差図
【図４】数値実施例１の補正状態に係るレンズ系の無限遠合焦状態及び近接物体合焦状態の縦収差図
【図５】実施の形態２（数値実施例２）の初期状態に係るレンズ系の無限遠合焦状態及び近接物体合焦状態を示すレンズ配置図
【図６】数値実施例２の初期状態に係るレンズ系の無限遠合焦状態及び近接物体合焦状態の縦収差図
【図７】数値実施例２の変動状態に係るレンズ系の無限遠合焦状態及び近接物体合焦状態の縦収差図
【図８】数値実施例２の補正状態に係るレンズ系の無限遠合焦状態及び近接物体合焦状態の縦収差図
【図９】実施の形態３（数値実施例３）の初期状態に係るズームレンズ系の無限遠合焦状態を示すレンズ配置図
【図１０】数値実施例３の初期状態に係るズームレンズ系の無限遠合焦状態の縦収差図
【図１１】数値実施例３の初期状態に係るズームレンズ系の近接物体合焦状態の縦収差図
【図１２】数値実施例３の変動状態に係るズームレンズ系の無限遠合焦状態の縦収差図
【図１３】数値実施例３の変動状態に係るズームレンズ系の近接物体合焦状態の縦収差図
【図１４】数値実施例３の補正状態に係るズームレンズ系の無限遠合焦状態の縦収差図
【図１５】数値実施例３の補正状態に係るズームレンズ系の近接物体合焦状態の縦収差図
【図１６】実施の形態４（数値実施例４）の初期状態に係るズームレンズ系の無限遠合焦状態を示すレンズ配置図
【図１７】数値実施例４の初期状態に係るズームレンズ系の無限遠合焦状態の縦収差図
【図１８】数値実施例４の初期状態に係るズームレンズ系の近接物体合焦状態の縦収差図
【図１９】数値実施例４の変動状態に係るズームレンズ系の無限遠合焦状態の縦収差図
【図２０】数値実施例４の変動状態に係るズームレンズ系の近接物体合焦状態の縦収差図
【図２１】数値実施例４の補正状態に係るズームレンズ系の無限遠合焦状態の縦収差図
【図２２】数値実施例４の補正状態に係るズームレンズ系の近接物体合焦状態の縦収差図
【図２３】実施の形態５に係るデジタルカメラシステムの概略構成図
【発明を実施するための形態】
【００１１】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１２】
なお、発明者らは、当業者が本開示を充分に理解するために添付図面および以下の説明を提供するのであって、これらによって請求の範囲に記載の主題を限定することを意図するものではない。
【００１３】
図１、５、９及び１６は、各々実施の形態１〜４に係るレンズ系のレンズ配置図である。各図において、レンズ群の記号の下の片側矢印はフォーカスレンズ群であることを示しており、矢印の方向は無限遠合焦状態から近接物体合焦状態へのフォーカスレンズ群の移動方向を表している。また各図において、両向きの矢印が付記された部分は収差補正レンズ群である。また各図において、各レンズ群の符号に付された記号（＋）及び記号（−）は、各レンズ群のパワーの符号に対応する。また各図において、最も右側に記載された直線は、像面Ｓの位置を表し、像面Ｓの左側の長方形は、平行平板Ｐを表している。
【００１４】
図２、６、１０、１１、１７及び１８は、各々実施の形態１〜４に係るレンズ系の初期状態における縦収差図である。また、図３、７、１２、１３、１９及び２０は、各々実施の形態１〜４に係るレンズ系の変動状態における縦収差図である。さらに、図４、８、１４、１５、２１及び２２は、各々実施の形態１〜４に係るレンズ系の補正状態における縦収差図である。ここで、初期状態とは平行平板Ｐの厚みが変化する前の状態で、変動状態とは平行平板Ｐの厚みが変化した後の状態、補正状態とは平行平板Ｐの厚みが変化した状態において収差補正レンズ群を移動させた状態を言う。
【００１５】
また、図９、１６において、（ａ）図は広角端のレンズ構成、（ｂ）図は中間位置のレンズ構成、（ｃ）図は望遠端レンズ構成、をそれぞれ表している。いずれも無限遠合焦状態である。なお中間位置とは中間焦点距離状態を指す。（ａ）図の広角端とは最短焦点距離状態を指す。（ｂ）図の中間位置とは中間焦点距離状態を指す。中間焦点距離状態における焦点距離ｆｍは以下の数式［数１］で規定される。
【００１６】
【数１】
2017122861.tif 000003
（ｃ）図の望遠端とは最長焦点距離状態を指す。最長焦点距離状態における焦点距離はｆＴである。また各レンズ配置図において、（ａ）図と（ｃ）図との間に設けられた折れ線の矢印は、上から順に、広角端、中間位置、望遠端の各状態におけるレンズ群の位置を結んで得られる直線である。広角端と中間位置との間、中間位置と望遠端との間は、単純に直線で接続されているだけであり、実際の各レンズ群の動きとは異なる。
（実施の形態１）
図１は、実施の形態１に係るレンズ配置図を示す。図１に示すように、実施の形態１に係るレンズ系は、物体側から像側へと順に、両凸形状の第１レンズ素子Ｌ１と、両凹形状の第２レンズ素子Ｌ２と、物体側に凸面を向けた正メニスカス形状の第３レンズ素子Ｌ３と、像面側に凸面を向けた正メニスカス形状の第４レンズ素子Ｌ４と、両凹形状の第５レンズ素子Ｌ５と、物体側に凸面を向けた正メニスカス形状の第６レンズ素子Ｌ６と、開口絞りＡと、両凹形状の第７レンズ素子Ｌ７と、両凹形状の第８レンズ素子Ｌ８と、両凸形状の第９レンズ素子Ｌ９と、両凸形状の第１０レンズ素子Ｌ１０と、物体側に凸面を向けた負メニスカス形状の第１１レンズ素子Ｌ１１とからなる。なお、第１レンズ素子Ｌ１と、第２レンズ素子Ｌ２と、第３レンズ素子Ｌ３とが接合されている。また、第４レンズ素子Ｌ４と、第５レンズ素子Ｌ５とが接合されている。また、第８レンズ素子Ｌ８と、第９レンズ素子Ｌ９とが接合されている。また、第７レンズ素子Ｌ７は、その物体側が非球面である。また、第１０レンズ素子の両面は非球面である。また、第１１レンズ素子Ｌ１１は、その物体側が非球面である。
【００１７】
実施の形態１に係るレンズ系において、無限遠合焦状態から近接物体合焦状態へのフォーカシングの際に光軸に沿って移動するフォーカスレンズ群は、第７レンズ素子Ｌ７、第８レンズ素子Ｌ８、第９レンズ素子Ｌ９、第１０レンズ素子Ｌ１０である。なお、これらのレンズ素子は一体的に光軸に沿って物体側へ移動する。この際、収差補正レンズ群は移動しないので、像面に対して固定である。
【００１８】
また、収差補正の際に移動する収差補正レンズ群は、第６レンズ素子Ｌ６である。収差補正レンズ群として第６レンズ素子Ｌ６が光軸に沿って移動し、平行平板Ｐの厚みに応じた補正をする。なお、実施の形態１においては、初期状態から変動状態では平行平板Ｐの厚みが４ｍｍから２ｍｍへ変化した例を示しており、補正状態では第６レンズ素子Ｌ６が２ｍｍ像面側へ移動することで収差補正を行う。
（実施の形態２）
図５は、実施の形態２に係るレンズ配置図を示す。図５に示すように、実施の形態２に係るレンズ系は、物体側から像側へと順に、物体側に凸面を向けた負メニスカス形状の第１レンズ素子Ｌ１と、両凸形状の第２レンズ素子Ｌ２と、像面側に凸面を向けた正メニスカス形状の第３レンズ素子Ｌ３と、物体側に凸面を向けた正メニスカス形状の第４レンズ素子Ｌ４と、物体側に凸面を向けた負メニスカス形状の第５レンズ素子Ｌ５と、像面側に凸面を向けた正メニスカス形状の第６レンズ素子Ｌ６と、両凹形状の第７レンズ素子Ｌ７と、両凸形状の第８レンズ素子Ｌ８と、両凸形状の第９レンズ素子Ｌ９と、像面側に凸面を向けた負メニスカス形状の第１０レンズ素子Ｌ１０とからなる。なお、第４レンズ素子Ｌ４と、第５レンズ素子Ｌ５とが接合されている。また、第７レンズ素子Ｌ７と、第８レンズ素子Ｌ８とが接合されている。また、第９レンズ素子Ｌ９と、第１０レンズ素子Ｌ１０とが接合されている。また、第３レンズ素子Ｌ３は、その物体側が非球面である。また、第１０レンズ素子Ｌ１０は、その像面側が非球面である。なお、第６レンズ素子Ｌ６の物体側には、開口絞りＡが配置されている。
【００１９】
実施の形態２に係るレンズ系において、無限遠合焦状態から近接物体合焦状態へのフォーカシングの際に光軸に沿って移動するフォーカスレンズ群は、第１レンズ素子Ｌ１から第１０レンズ素子Ｌ１０までの全系である。なお、これらのレンズ素子は一体的に光軸に沿って物体側へ移動する。後述する収差補正レンズ群は、フォーカシングの際には、フォーカスレンズ群である第１レンズ素子から第１０レンズ素子とともに一体で動くため、フォーカスレンズ群に対して固定である。
【００２０】
また、収差補正の際に移動する収差補正レンズ群は、第６レンズ素子Ｌ６である。収差補正レンズ群として第６レンズ素子Ｌ６が光軸に沿って移動し、平行平板Ｐの厚みに応じた補正をする。なお、実施の形態２において、初期状態から変動状態では平行平板Ｐの厚みが４．２ｍｍから２ｍｍへ変化した例を示しており、補正状態では第６レンズ素子Ｌ６が０．５ｍｍ物体側へ移動することで収差補正を行う。
（実施の形態３）
図９は、実施の形態３に係るレンズ配置図を示す。図９に示すように、第１レンズ群Ｇ１は、物体側から像側へと順に、物体側に凸面を向けた正メニスカス形状の第１レンズ素子Ｌ１と、物体側に凸面を向けた負メニスカス形状の第２レンズ素子Ｌ２と、物体側に凸面を向けた正メニスカス形状の第３レンズ素子Ｌ３と、両凹形状の第４レンズ素子Ｌ４と、物体側に凸面を向けた負メニスカス形状の第５レンズ素子Ｌ５と、両凸形状の第６レンズ素子Ｌ６と、物体側に凸面を向けた負メニスカス形状の第７レンズ素子Ｌ７と、両凸形状の第８レンズ素子Ｌ８と、物体側に凸面を向けた平凸形状の第９レンズ素子Ｌ９と、物体側に凸面を向けた正メニスカス形状の第１０レンズ素子Ｌ１０とからなる。第２レンズ素子Ｌ２と、第３レンズ素子Ｌ３とが接合されている。また、第５レンズ素子Ｌ５と、第６レンズ素子Ｌ６とが接合されている。第６レンズ素子Ｌ６は、その像面側が非球面である。
【００２１】
第２レンズ群Ｇ２は、物体側から像側へと順に、物体側に凸面を向けた負メニスカス形状の第１１レンズ素子Ｌ１１と、両凹形状の第１２レンズ素子Ｌ１２と、両凸形状の第１３レンズ素子Ｌ１３と、像面側に凸面を向けた負メニスカス形状の第１４レンズ素子Ｌ１４とからなる。これらのうち、第１１レンズ素子Ｌ１１は、その物体側が非球面である。
【００２２】
第３レンズ群Ｇ３は、物体側から像側へと順に、両凹形状の第１５レンズ素子Ｌ１５と、物体側に凸面を向けた正メニスカス形状の第１６レンズ素子Ｌ１６とからなる。第１５レンズ素子Ｌ１５と、第１６レンズ素子Ｌ１６とが接合されている。
【００２３】
第４レンズ群Ｇ４は、物体側から像側へと順に、両凸形状の第１７レンズ素子Ｌ１７と、像面側に凸面を向けた負メニスカス形状の第１８レンズ素子Ｌ１８と、両凸形状の第１９レンズ素子Ｌ１９と、像面側に凸面を向けた負メニスカス形状の第２０レンズ素子Ｌ２０と、物体側に凸面を向けた正メニスカス形状の第２１レンズ素子Ｌ２１と、両凹形状の第２２レンズ素子Ｌ２２と、両凸形状の第２３レンズ素子Ｌ２３と、両凹形状の第２４レンズ素子Ｌ２４と、両凸形状の第２５レンズ素子Ｌ２５と、両凸形状の第２６レンズ素子Ｌ２６と、物体側に凸面を向けた正メニスカス形状の第２７レンズ素子Ｌ２７と、両凹形状の第２８レンズ素子Ｌ２８とからなる。第１７レンズ素子Ｌ１７と、第１８レンズ素子Ｌ１８とが接合されている。第１９レンズ素子Ｌ１９と、第２０レンズ素子Ｌ２０とが接合されている。第２２レンズ素子Ｌ２２と、第２３レンズ素子Ｌ２３とが接合されている。なお、第４レンズ群Ｇ４において、第１７レンズ素子Ｌ１７の物体側には、開口絞りＡが配置されている。
【００２４】
実施の形態３に係るレンズ系において、無限遠合焦状態から近接物体合焦状態へのフォーカシングの際には、第２レンズ素子Ｌ２と、第３レンズ素子Ｌ３と、第４レンズ素子Ｌ４とが一体的に光軸に沿って物体側へ移動するとともに、第９レンズ素子Ｌ９と、第１０レンズ素子Ｌ１０とが一体的に光軸に沿って物体側へ移動する。この際、収差補正レンズ群は移動しないので、像面に対して固定である。
【００２５】
また、収差補正の際に移動する収差補正レンズ群は、第２４レンズ素子Ｌ２４である。収差補正レンズ群として第２４レンズ素子Ｌ２４が光軸に沿って移動し、平行平板Ｐの厚みに応じて補正をする。実施の形態３において、初期状態から変動状態では平行平板Ｐの厚みが５ｍｍから１ｍｍへ変化した例を示しており、補正状態では第２４レンズ素子Ｌ２４が０．０４ｍｍ像面側へ移動することで収差補正を行う。
（実施の形態４）
図１６は、実施の形態４に係るレンズ配置図を示す。図１６に示すように、第１レンズ群Ｇ１は、物体側から像側へと順に、物体側に凸面を向けた負メニスカス形状の第１レンズ素子Ｌ１と、物体側に凸面を向けた負メニスカス形状の第２レンズ素子Ｌ２と、物体側に凸面を向けた正メニスカス形状の第３レンズ素子Ｌ３と、像面側に凸面を向けた負メニスカス形状の第４レンズ素子Ｌ４と、物体側に凸面を向けた負メニスカス形状の第５レンズ素子Ｌ５と、両凸形状の第６レンズ素子Ｌ６と、物体側に凸面を向けた負メニスカス形状の第７レンズ素子Ｌ７と、両凸形状の第８レンズ素子Ｌ８と、両凸形状の第９レンズ素子Ｌ９と、物体側に凸面を向けた正メニスカス形状の第１０レンズ素子Ｌ１０とからなる。第２レンズ素子Ｌ２と、第３レンズ素子Ｌ３とが接合されている。第５レンズ素子Ｌ５と、第６レンズ素子Ｌ６とが接合されている。第７レンズ素子Ｌ７と、第８レンズ素子Ｌ８とが接合されている。また、第６レンズ素子Ｌ６は、その像面側が非球面である。
【００２６】
第２レンズ群Ｇ２は、物体側から像側へと順に、物体側に凸面を向けた負メニスカス形状の第１１レンズ素子Ｌ１１と、両凹形状の第１２レンズ素子Ｌ１２と、両凸形状の第１３レンズ素子Ｌ１３と、像面側に凸面を向けた負メニスカス形状の第１４レンズ素子Ｌ１４とからなる。第１１レンズ素子Ｌ１１は、その物体側が非球面である。
【００２７】
第３レンズ群Ｇ３は、物体側から像側へと順に、両凹形状の第１５レンズ素子Ｌ１５と、物体側に凸面を向けた正メニスカス形状の第１６レンズ素子Ｌ１６とからなる。第１５レンズ素子Ｌ１５と、第１６レンズ素子Ｌ１６とが接合されている。
【００２８】
第４レンズ群Ｇ４は、物体側から像側へと順に、両凸形状の第１７レンズ素子Ｌ１７と、像面側に凸面を向けた負メニスカス形状の第１８レンズ素子Ｌ１８と、両凸形状の第１９レンズ素子Ｌ１９と、像面側に凸面を向けた負メニスカス形状の第２０レンズ素子Ｌ２０と、物体側に凸面を向けた正メニスカス形状の第２１レンズ素子Ｌ２１と、両凹形状の第２２レンズ素子Ｌ２２と、両凸形状の第２３レンズ素子Ｌ２３と、両凹形状の第２４レンズ素子Ｌ２４と、両凸形状の第２５レンズ素子Ｌ２５と、両凸形状の第２６レンズ素子Ｌ２６と、物体側に凸面を向けた正メニスカス形状の第２７レンズ素子Ｌ２７と、両凹形状の第２８レンズ素子Ｌ２８とからなる。第１７レンズ素子Ｌ１７と第１８レンズ素子Ｌ１８とが接合されている。第１９レンズ素子Ｌ１９と第２０レンズ素子Ｌ２０とが接合されている。第２２レンズ素子Ｌ２２と第２３レンズ素子Ｌ２３とが接合されている。なお、第４レンズ群Ｇ４において、第１７レンズ素子Ｌ１７の物体側には、開口絞りＡが配置されている。
【００２９】
実施の形態４に係るレンズ系において、無限遠合焦状態から近接物体合焦状態へのフォーカシングの際に光軸に沿って移動するフォーカスレンズ群は、第２レンズ素子Ｌ２と第３レンズ素子Ｌ３と第４レンズ素子Ｌ４である。なお、これらのレンズ素子が一体的に光軸に沿って物体側へ移動する。この際、収差補正レンズ群は移動しないので、像面に対して固定である。
【００３０】
また、収差補正の際に移動する収差補正レンズ群は、第２５レンズ素子Ｌ２５である。収差補正レンズ群として第２５レンズ素子Ｌ２５が光軸に沿って移動し、平行平板Ｐの厚みに応じた補正をする。実施の形態４において、初期状態から変動状態では平行平板Ｐの厚みが５ｍｍから２ｍｍへ変化した例を示しており、補正状態では第２５レンズ素子Ｌ２５が０．０３ｍｍ物体側へ移動することで収差補正を行う。
【００３１】
実施の形態１〜４に係るレンズ系では、少なくとも１枚のレンズ素子で構成されたレンズ群を複数有するレンズ系であって、無限遠合焦状態から近接物体合焦状態へのフォーカシングの際に像面に対して光軸に沿って移動するフォーカスレンズ群と、少なくとも１つのレンズ素子を有し、像面に対して光軸に沿って移動する収差補正レンズ群と、を備え、前記収差補正レンズ群は、フォーカシングの際に前記フォーカスレンズ群または／および像面に対して固定であるため、諸収差の発生を抑制することができる。
【００３２】
また、実施の形態１〜４に係るレンズ系における収差補正レンズ群は、１枚のレンズ素子より構成されていることが有益である。収差補正レンズ群の構成枚数を１枚とすることで、簡便な機構で収差補正を実施でき、コンパクト化の達成が容易になる。
【００３３】
また、実施の形態１〜４に係るレンズ系は、開口絞りをさらに備え、収差補正レンズ群は、開口絞りよりも像面側に配置されていることが有益である。開口絞りよりも像面側に収差補正レンズ群を配置することで、フォーカシングやズーミングに伴う、レンズ系の最像側面から像面までの間のローパスフィルタの平行平板Ｐの光路長変化に対する収差補正レンズ群の光軸移動量の変化を低減でき、簡便な機構による収差補正が実施できる。
【００３４】
実施の形態１〜４に係るレンズ系では、フォーカシングレンズ群が、３枚以下のレンズ素子で構成されているので、高速かつ静音なフォーカシングを行うことができる。
【００３５】
以上のように、本出願において開示する技術の例示として、実施の形態１〜４を説明した。しかしながら、本開示における技術は、これに限定されず、適宜、変更、置き換え、付加、省略などを行った実施の形態にも適用可能である。
【００３６】
以下、例えば実施の形態１〜４に係るレンズ系のごときレンズ系が満足することが可能な条件を説明する。なお、各実施の形態に係るレンズ系に対して、複数の可能な条件が規定されるが、これら複数の条件すべてを満足するレンズ系の構成が最も効果的である。しかしながら、個別の条件を満足することにより、それぞれ対応する効果を奏するレンズ系を得ることも可能である。
【００３７】
例えば実施の形態１〜４に係るレンズ系のように、少なくとも１枚のレンズ素子で構成されたレンズ群を複数有するレンズ系であって、無限遠合焦状態から近接物体合焦状態へのフォーカシングの際に像面に対して光軸に沿って移動するフォーカスレンズ群と、少なくとも１つのレンズ素子を有し、像面に対して光軸に沿って移動する収差補正レンズ群と、を備え、前記収差補正レンズ群は、フォーカシングの際に前記フォーカスレンズ群または／および像面に対して固定であるレンズ系（以下、このレンズ構成を、実施の形態の基本構成という）は下記の条件（１）を満足する。
【００３８】
０．１＜｜ｆａｄｊ／ｆｆｏｃｕｓ｜＜９．５        ・・・（１）
ここで、
ｆａｄｊ：収差補正レンズ群の焦点距離
ｆｆｏｃｕｓ：焦点距離の絶対値が最も小さいフォーカスレンズ群の焦点距離  である。
【００３９】
条件（１）は、収差補正群レンズ群の焦点距離とフォーカスレンズ群の焦点距離の比を規定した条件である。条件（１）を満足することで、収差補正レンズ群による球面収差補正が容易になる。条件（１）の下限を下回ると、収差補正レンズ群のパワーがフォーカスレンズ群のパワーに対して強くなりすぎ、収差補正レンズ群の光軸方向移動による球面収差の補正が困難になる。逆に条件（１）の上限を上回ると、収差補正レンズ群のパワーがフォーカスレンズ群のパワーに対して弱くなりすぎ、フォーカシングに伴う像面湾曲変動の補正が困難になる。
【００４０】
以下の条件（１）’を満足することにより、上記効果をさらに奏功させることができる。
【００４１】
０．１２＜｜ｆａｄｊ／ｆｆｏｃｕｓ｜＜１．０        ・・・（１）’
例えば実施の形態１〜４に係るレンズ系のように、基本構成を有するレンズ系は、以下の条件（２）を満足することが有益である。
【００４２】
０．０５＜｜ｆａｄｊ／ｆ｜＜２        ・・・（２）
ここで、
ｆ：レンズ系全系の無限遠合焦状態での焦点距離
である。
【００４３】
条件（２）は、収差補正群レンズ群の焦点距離とレンズ系全系の焦点距離の比を規定した条件である。条件（２）を満足することで、収差補正レンズ群による球面収差補正が容易になる。条件（２）の下限を下回ると、収差補正レンズ群のパワーがレンズ系全系のパワーに対して強くなりすぎ、収差補正レンズ群の光軸方向移動による球面収差の補正が困難になる。逆に条件（２）の上限を上回ると、収差補正レンズ群のパワーがレンズ系全系のパワーに対して弱くなりすぎ、コマ収差の補正が困難になる。
以下の条件（２）’を満足することにより、上記効果をさらに奏功させることができる。
【００４４】
０．０７＜｜ｆａｄｊ／ｆ｜＜１．６        ・・・（２）’
例えば実施の形態１〜４に係るレンズ系のように、基本構成を有するレンズ系は、以下の条件（３）を満足することが有益である。
【００４５】
１．５＜｜ｆａｄｊ／Ｈ｜＜３０        ・・・（３）
ここで、
Ｈ：レンズ系の像高
である。
【００４６】
条件（３）は、収差補正群レンズ群の焦点距離とレンズ系の像高の比を規定した条件である。条件（３）を満足すると、収差補正群レンズ群を構成するレンズ群のパワーを適切に設定でき、収差補正レンズ群による球面収差補正が容易になり、同時にレンズ系の小型化を達成できる。条件（３）の下限を下回ると、収差補正群レンズ群のパワーが強くなりすぎ、収差補正レンズ群の光軸方向移動による球面収差の補正が困難になる。逆に条件（３）の上限を上回ると、収差補正群レンズ群の光軸方向移動量が長くなりすぎ、コンパクト化の達成が困難となる。また各レンズの径が大きくなりすぎ、球面収差の発生を抑制することが困難になる。
【００４７】
以下の条件（３）’を満足することにより、上記効果をさらに奏功させることができる。
【００４８】
２．０＜｜ｆａｄｊ／Ｈ｜＜２５        ・・・（３）’
例えば実施の形態１〜４に係るレンズ系のように、基本構成を有するレンズ系は、以下の条件（４）を満足することが有益である。
【００４９】
０．０５＜｜ｆａｄｊ／Ｌ｜＜５        ・・・（４）
ここで、
Ｌ：レンズ系の光学全長
条件（４）は、収差補正群レンズ群の焦点距離とレンズ系の光学全長の比を規定した条件である。条件（４）を満足すると、収差補正群レンズ群を構成するレンズ群のパワーを適切に設定でき、収差補正レンズ群による球面収差補正が容易になり、同時にレンズ系の小型化を達成できる。条件（４）の下限を下回ると、レンズ系の光学全長が長くなりすぎ、コンパクト化の達成が困難となる。また各レンズの径が大きくなりすぎ、球面収差の発生を抑制することが困難になる。
逆に条件（４）の上限を上回ると、レンズ系を構成する各レンズのパワーが強くなりすぎ、各種収差、特にコマ収差の発生を抑制することが困難になる。
【００５０】
以下の条件（４）’を満足することにより、上記効果をさらに奏功させることができる。
【００５１】
０．０６＜｜ｆａｄｊ／Ｌ｜＜４        ・・・（４）’
例えば実施の形態１〜４に係るレンズ系のように、基本構成を有するレンズ系は、以下の条件（５）を満足することが有益である。
【００５２】
０．２＜Ｈ×Ｆｎｏ．／ｆ＜１．５  ・・・（５）
ここで、
Ｆｎｏ．：レンズ系のＦ値
である。
【００５３】
条件（５）は、レンズ系の像高とＦ値とレンズ系全系の焦点距離の関係を規定する条件である。条件（５）を満足することで、レンズ系を構成する各レンズ群のパワーを適切に設定でき、球面収差の制御が容易になり、レンズ系の小型化を達成できる。条件（５）の下限を下回ると、レンズ系を構成するレンズ群のパワーが強くなりすぎ、球面収差の発生を抑制することが困難となる。逆に条件（５）の上限を上回ると、レンズ系の光学全長が大きくなりすぎ、コンパクト化の達成が困難となる。また各レンズの径が大きくなりすぎ、球面収差の発生を抑制することが困難になる。
【００５４】
以下の条件（５）’を満足することにより、上記効果をさらに奏功させることができる。
【００５５】
０．３＜Ｈ×Ｆｎｏ．／ｆ＜１．０  ・・・（５）’
例えば実施の形態１〜４に係るレンズ系のように、基本構成を有するレンズ系は、以下の条件（６）を満足することが有益である。
【００５６】
０．５＜｜ｆｆｏｃｕｓ／ｆ｜＜１２  ・・・（６）
ここで、
ｆｆｏｃｕｓ：焦点距離の絶対値が最も小さいフォーカスレンズ群の焦点距離
である。
【００５７】
条件（６）は、フォーカスレンズ群の焦点距離とレンズ系の焦点距離の比を規定する条件である。条件（６）を満足することにより、フォーカスレンズ群のパワーを適切に設定でき、フォーカシングに伴う非点収差変動の制御が容易になる。条件（６）の下限を下回ると、フォーカスレンズ群のパワーが強くなりすぎ、非点収差の発生を抑制することが困難となる。逆に条件（６）の上限を上回ると、レンズ系全系の焦点距離が短くなりすぎ、歪曲収差の発生を抑制することが困難になる。
【００５８】
以下の条件（６）’を満足することにより、上記効果をさらに奏功させることができる。
【００５９】
０．６＜｜ｆｆｏｃｕｓ／ｆ｜＜８  ・・・（６）’
例えば実施の形態１〜４に係るレンズ系のように、基本構成を有するレンズ系は、以下の条件（７）を満足することが有益である。
【００６０】
２＜｜ｆｆｏｃｕｓ／Ｈ｜＜２５  ・・・（７）
条件（７）は、フォーカスレンズ群の焦点距離とレンズ系の像高の比を規定する条件である。条件（７）を満足することにより、フォーカスレンズ群のパワーを適切に設定でき、フォーカシングに伴う非点収差変動の制御が容易になる。条件（７）の下限を下回ると、フォーカスレンズ群のパワーが強くなりすぎ、非点収差の発生を抑制することが困難となる。逆に条件（７）の上限を上回ると、フォーカスレンズ群のパワーが弱くなりすぎ、フォーカスレンズ群の光軸方向移動量が大きくなり、コンパクト化の達成が困難となる。
【００６１】
以下の条件（７）’を満足することにより、上記効果をさらに奏功させることができる。
【００６２】
１０＜｜ｆｆｏｃｕｓ／Ｈ｜＜２２  ・・・（７）’
例えば実施の形態１〜４に係るレンズ系のように、基本構成を有するレンズ系は、以下の条件（８）を満足することが有益である。
【００６３】
０．３＜｜ｆｆｏｃｕｓ／Ｌ｜＜３  ・・・（８）
条件（８）は、フォーカスレンズ群の焦点距離とレンズ系の光学全長の比を規定する条件である。条件（８）を満足することにより、フォーカスレンズ群のパワーを適切に設定でき、フォーカシングに伴う非点収差変動の制御が容易になる。条件（８）の下限を下回ると、フォーカスレンズ群のパワーが強くなりすぎ、非点収差の発生を抑制することが困難となる。逆に条件（８）の上限を上回ると、フォーカスレンズ群のパワーが弱くなりすぎ、フォーカスレンズ群の光軸方向移動量が大きくなり、コンパクト化の達成が困難となる。
【００６４】
以下の条件（８）’を満足することにより、上記効果をさらに奏功させることができる。
【００６５】
０．３１＜｜ｆｆｏｃｕｓ／Ｌ｜＜２  ・・・（８）’
例えば実施の形態１〜４に係るレンズ系のように、基本構成を有するレンズ系は、以下の条件（９）を満足することが有益である。
【００６６】
０．１＜ＬＣ／Ｌ＜１  ・・・（９）
ここで、
ＬＣ：収差補正レンズ群の最像側面から像面までの光軸上の距離
である。
【００６７】
条件（９）は、収差補正レンズ群の最像側面から像面までの光軸上の距離とレンズ系の光学全長の比を規定する条件である。条件（９）を満足することで、収差補正レンズ群の厚みを適切に設定でき、軸上色収差の補正が容易になる。条件（９）の下限を下回ると、収差補正レンズ群のパワーが弱くなりすぎ、球面収差補正が困難となる。逆に条件（９）の上限を上回ると、収差補正レンズ群のパワーが強くなりすぎ、軸上色収差の発生を抑制することが困難になる。
【００６８】
以下の条件（９）’を満足することにより、上記効果をさらに奏功させることができる。
【００６９】
０．１２＜ＬＣ／Ｌ＜０．８  ・・・（９）’
例えば実施の形態１〜４に係るレンズ系のように、基本構成を有するレンズ系は、以下の条件（１０）を満足することが有益である。
【００７０】
１＜ＬＣ／ＢＦ＜３．０  ・・・（１０）
ここで、
ＢＦ：レンズ系のバックフォーカス
である。
【００７１】
条件（１０）は、収差補正レンズ群の最像側面から像面までの光軸上の距離とレンズ系のバックフォーカスの比を規定する条件である。条件（１０）を満足することで、収差補正レンズ群の厚みを適切に設定でき、軸上色収差の補正が容易になる。条件（１０）の下限を下回ると、収差補正レンズ群のパワーが弱くなりすぎ、球面収差補正が困難となる。逆に条件（１０）の上限を上回ると、収差補正レンズ群のパワーが強くなりすぎ、軸上色収差の発生を抑制することが困難になる。
【００７２】
以下の条件（１０）’を満足することにより、上記効果をさらに奏功させることができる。
【００７３】
１．３＜ＬＣ／ＢＦ＜２．５  ・・・（１０）’
実施の形態１〜４に係るレンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善される。
【００７４】
また、実施の形態１〜４に係るレンズ系を構成している各レンズ素子は、ガラスからなるレンズ素子の片面に紫外線硬化性樹脂からなる透明樹脂層を接合した、ハイブリッドレンズであってもよい。その場合、透明樹脂層のパワーは弱いので、ガラスからなるレンズ素子と透明樹脂層とを合わせて１枚のレンズ素子と考える。同様に、平板に近いレンズ素子が配置される場合も、平板に近いレンズ素子のパワーは弱いので、０枚のレンズ素子と考える。
（実施の形態５）
図２３は、実施の形態５に係るレンズ交換式デジタルカメラシステムの概略構成図である。
【００７５】
本実施の形態５に係るレンズ交換式デジタルカメラシステム１００は、カメラ本体１０１と、カメラ本体１０１に着脱自在に接続される交換レンズ装置２０１とを備える。
【００７６】
カメラ本体１０１は、交換レンズ装置２０１のレンズ系２０２によって形成される光学像を受光して、電気的な画像信号に変換する撮像素子１０２と、撮像素子１０２の被写体側に配置される平行平板Ｐと、撮像素子１０２によって変換された画像信号を表示する液晶モニタ１０３と、カメラマウント部１０４とを含む。平行平板Ｐは、ローパスフィルタや撮像素子１０２を覆うカバーガラスを含む。一方、交換レンズ装置２０１は、実施の形態１〜４のいずれかに係るレンズ系２０２と、レンズ系２０２を保持する鏡筒２０３と、カメラ本体のカメラマウント部１０４に接続されるレンズマウント部２０４と、フランジバック調整機構２０５とを含む。カメラマウント部１０４及びレンズマウント部２０４は、物理的な接続のみならず、カメラ本体１０１内のコントローラ（図示せず）と交換レンズ装置２０１内のコントローラ（図示せず）とを電気的に接続し、相互の信号のやり取りを可能とするインターフェースとしても機能する。なお、図２３においては、レンズ系２０２として実施の形態１に係るレンズ系を用いた場合を図示している。
【００７７】
本実施の形態５では、実施の形態１〜４いずれかに係るレンズ系２０２を用いているので、コンパクトで結像性能に優れた交換レンズ装置を低コストで実現することができる。また、本実施の形態５に係るカメラシステム１００全体の小型化及び低コスト化も達成することができる。
【００７８】
なお、本実施の形態５に係るレンズ交換式デジタルカメラシステムでは、レンズ系２０２として実施の形態１〜４に係るレンズ系を示したが、これらのレンズ系は、全てのフォーカシング域を使用しなくてもよい。すなわち、所望のフォーカシング域に応じて、光学性能が確保されている範囲を切り出して使用してもよい。
【００７９】
実施の形態５に係る交換レンズ装置２０１は、実施の形態１〜４に係るレンズ系のように基本構成を有するレンズ系２０２と、撮像素子１０２を有するカメラ本体１０１との接続が可能なレンズマウント部２０４とを有する。この交換レンズ装置２０１は、カメラ本体１０１から信号を取得し、該信号に応じて収差補正レンズ群が移動する。この信号には、初期状態に対する収差補正レンズ群の光軸方向の移動量の情報が含まれる。これにより、カメラ本体１０１からの信号によって、ユーザーが収差補正を簡便に実施できる。
【００８０】
また、実施の形態５に係る交換レンズ装置２０１は、レンズ系２０２を一律に光軸に沿って移動させることで撮像素子１０２からレンズ系２０２の最像側面までの空気間隔を変化させるフランジバック調整機構２０５を備えている。これにより、レンズ系２０２に備えられた収差補正レンズ群の光軸方向の移動によって変動するバックフォーカスを修正できる。
【００８１】
また、実施の形態５に係る交換レンズ装置２０１は、操作部２０６をさらに備える。この操作部２０６は、レンズ系２０２に含まれる収差調整レンズ群を光軸に沿って移動させることができる。これにより、ユーザーが収差補正を簡便に実施できる。操作部２０６と収差調整レンズ群は、機械的に接続されていてもよいし、操作部２０６の操作を電気信号に変換し、ステッピングモータにより収差調整レンズを動作させてもよい。また、操作部２０６は、交換レンズ装置２０１に限らず、カメラ本体１０１に設けてもよい。この場合、カメラ本体１０１と交換レンズ装置２０１は電気的に接続され、交換レンズ装置２０１は、カメラ本体１０１からの信号を受けとることで収差調整レンズ群を光軸に沿って移動させる。
【００８２】
また、以上説明した実施の形態１〜４に係るレンズ系と、ＣＣＤやＣＭＯＳ等の撮像素子とから構成される撮像装置を、スマートフォン等の携帯情報端末のカメラ、監視システムにおける監視カメラ、Ｗｅｂカメラ、車載カメラ等に適用することもできる。
【００８３】
以上のように、本出願において開示する技術の例示として、実施の形態５を説明した。しかしながら、本開示における技術は、これに限定されず、適宜、変更、置き換え、付加、省略などを行った実施の形態にも適用可能である。
【００８４】
以下、実施の形態１〜４に係るレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【００８５】
【数２】
2017122861.tif 000004
１０〜１５、及び１７〜２２は、図２と図６は、各々数値実施例１、２に係るレンズ系の初期状態における無限遠合焦状態及び近接物体合焦状態の縦収差図である。図３と図７は、各々数値実施例１〜２に係るレンズ系の変動状態における無限遠合焦状態及び近接物体合焦状態の縦収差図である。図４と図８は、各々数値実施例１〜２に係るレンズ系の補正状態における無限遠合焦状態及び近接物体合焦状態の縦収差図である。図１０と図１７は、各々数値実施例３、４に係るレンズ系の初期状態における無限遠合焦状態の縦収差図である。図１１と図１８は、各々数値実施例３、４に係るレンズ系の初期状態における近接物体合焦状態の縦収差図である。図１２と図１９は、各々数値実施例３、４に係るレンズ系の変動状態における無限遠合焦状態の縦収差図である。図１３と図２０は、各々数値実施例３、４に係るレンズ系の変動状態における近接物体合焦状態の縦収差図である。図１４と図２１は、各々数値実施例３、４に係るレンズ系の補正状態における無限遠合焦状態の縦収差図である。図１５と図２２は、各々数値実施例３、４に係るレンズ系の補正状態における近接物体合焦状態の縦収差図である。
【００８６】
図２〜４、６〜８の各縦収差図において、（ａ）図は無限遠合焦状態、（ｂ）図は近接物体合焦状態における各収差を表す。
【００８７】
また図１０〜１５、１７〜２２の各縦収差図において、（ａ）図は広角端合焦状態、（ｂ）図は中間位置合焦状態、（ｃ）図は望遠位置合焦状態における各収差を表す。
各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
（数値実施例１）
数値実施例１のレンズ系は、図１に示した実施の形態１に対応する。数値実施例１のレンズ系の面データをデータ１に、非球面データをデータ２に、各種データをデータ３に、短レンズデータをデータ４に、レンズ群データをデータ５に示す。
データ１（面データ）
面番号         r           d           nd         vd  
物面             ∞        可変                     
1         86.02800    13.32720     2.00272    19.3 
2       -232.42490     4.00000     1.75211    25.0 
3         34.66350    15.65380     1.80420    46.5 
4        216.02390     5.85120                     
5       -305.56660     5.97100     2.00100    29.1 
6        -69.03420     2.50000     1.84666    23.8 
7         61.48830        可変                     
8        155.09680     3.06110     1.80420    46.5 
9        239.32980        可変                     
10(絞り)           ∞        可変                     
11*     -2000.00000     3.00000     1.80470    41.0 
12        493.96930     7.09490                     
13        -38.78490     2.00000     1.75211    25.0 
14         55.45670    15.83290     1.91082    35.2 
15        -53.84940     0.50000                     
16*       289.64490    17.80480     1.80470    41.0 
17*       -73.03400        可変                     
18*        90.00000     3.00000     1.51443    63.3 
19         79.19340        可変                     
20               ∞        可変     1.51680    64.2 
21               ∞     1.00000                     
22               ∞      BF                         
像面             ∞                                 
データ２（非球面データ）
第11面
K= 0.00000E+00, A4=-3.17300E-06, A6=-2.51200E-09, A8=-1.38564E-12 
A10=-2.14975E-15 
第16面
K= 0.00000E+00, A4=-1.01958E-06, A6=-4.38347E-10, A8= 2.34646E-13 
A10=-8.85515E-16 
第17面
K= 0.00000E+00, A4=-4.40994E-07, A6=-7.45031E-12, A8=-4.47121E-13 
A10=-5.80073E-17 
第18面
K= 0.00000E+00, A4=-4.08812E-08, A6= 1.11324E-09, A8=-2.14186E-12 
A10= 1.53884E-15
データ３（各種データ）
無限遠初期  近接初期 無限遠変動  近接変動 無限遠補正 近接補正
焦点距離      87.9998   84.9220   87.9998   84.9220   87.6831   84.6295
Ｆナンバー     1.36493   1.42781   1.36493   1.42781   1.36542   1.42817
画角        14.1303   13.8228   14.1294   13.8211   14.1931   13.8793
像高        21.6300   21.6300   21.6300   21.6300   21.6300   21.6300
レンズ全長    179.9998  179.9998  179.3178  179.3178  179.3178  179.3178
ＢＦ        0.00000   0.00000   0.00000   0.00000   0.00000   0.00000
d0               ∞  820.0000        ∞  820.0000        ∞  820.0000 
d7           7.0000    7.0000    7.0000    7.0000    9.0000    9.0000 
d9           5.9134    5.9134    5.9134    5.9134    3.9134    3.9134 
d10         13.4895    5.0000   13.4895    5.0000   13.4895    5.0000 
d17          4.0000   12.4895    4.0000   12.4895    4.0000   12.4895 
d19         45.0000   45.0000   46.3180   46.3180   46.3180   46.3180 
d20          4.0000    4.0000    2.0000    2.0000    2.0000    2.0000 
入射瞳位置     76.5992   76.5992   76.5992   76.5992   76.4250   76.4250
射出瞳位置   -221.6312 -144.1997 -221.6306 -144.1992 -221.6306 -144.1992
前側主点位置  129.6612  108.3928  129.6612  108.3928  129.4317  108.3155
後側主点位置   92.0189   86.6199   91.3375   85.9385   91.7207   86.2929
データ４（単レンズデータ）
レンズ     始面     焦点距離
1         1       63.9577
2         2      -39.8507
3         3       49.4393
4         5       87.9821
5         6      -38.0771
6         8      539.2310
7        11     -492.0078
8        13      -30.0714
9        14       32.2202
10        16       74.1049
11        18    -1415.5706
データ５（レンズ群データ）
群   始面    焦点距離  レンズ構成長    前側主点位置  後側主点位置
1      1   875.43184    47.30320      -394.90656    -244.35050
2      8   539.23105     3.06110        -3.07422      -1.68273
3     11    57.36503    46.23260        31.30308      54.67336
4     18 -1415.57057     3.00000        18.21549      19.02830
（数値実施例２）
数値実施例２のレンズ系は、図５に示した実施の形態２に対応する。数値実施例２のレンズ系の面データをデータ６に、非球面データをデータ７に、各種データをデータ８に、単レンズデータをデータ９に、レンズ群データをデータ１０に示す。
データ６（面データ）
面番号         r           d           nd         vd  
物面             ∞        可変                     
1        136.93790     5.00000     1.50257    68.8 
2         46.20230     3.99020                     
3         79.48210     7.27440     1.75520    27.6 
4      -2276.00020    15.87880                     
5*       -69.51010    10.00000     1.88202    37.2 
6        -63.49930     0.50000                     
7         28.44210     9.51800     1.62041    60.3 
8        123.44630     3.00000     1.75520    27.6 
9         20.94970    10.00000                     
10(絞り)           ∞        可変                     
11        -52.83090     2.50000     1.54162    65.3 
12        -42.29440        可変                     
13        -28.19100     2.00000     1.75211    25.0 
14         56.92780    15.20300     2.00100    29.1 
15        -43.75240     0.50000                     
16         76.66110    14.43560     1.62041    60.3 
17        -36.11640     2.00000     1.68400    31.3 
18*       -74.03550        可変                     
19               ∞        可変     1.51680    64.2 
20               ∞     1.00000                     
21               ∞      BF                         
像面             ∞                                 
データ７（非球面データ）
第5面
K= 0.00000E+00, A4=-4.35098E-07, A6= 1.13248E-09, A8=-2.52810E-12 
A10= 2.20433E-15 
第18面
K= 0.00000E+00, A4= 2.04569E-06, A6=-5.81204E-10, A8= 1.00339E-12 
A10= 2.95604E-17
データ８（各種データ）
無限遠初期  近接初期 無限遠変動  近接変動 無限遠補正 近接補正
焦点距離      51.2499   51.2499   51.2499   51.2499   51.3214   51.3214
Ｆナンバー     1.24808   1.26818   1.24808   1.26818   1.24983   1.27009
画角        24.3073   24.0486   24.3067   24.0479   24.2719   24.0109
像高        21.6300   21.6300   21.6300   21.6300   21.6300   21.6300
レンズ全長    160.0000  162.8369  159.2504  162.0873  159.2504  162.0873
ＢＦ        0.00000   0.00000   0.00000   0.00000   0.00000   0.00000
d0               ∞  837.1631        ∞  837.1631        ∞  837.1631 
d10          6.0000    6.0000    6.0000    6.0000    5.5000    5.5000 
d12          7.0000    7.0000    7.0000    7.0000    7.5000    7.5000 
d18         40.0000   42.8369   41.4504   44.2873   41.4504   44.2873 
d19          4.2000    4.2000    2.0000    2.0000    2.0000    2.0000 
入射瞳位置     58.5490   58.5490   58.5490   58.5490   58.5490   58.5490
射出瞳位置   -169.2799 -172.1168 -169.2799 -172.1168 -168.6910 -171.5279
前側主点位置   94.2842   94.2842   94.2842   94.2842   94.2582   94.2582
後側主点位置  108.7650  108.7650  108.0154  108.0154  107.9447  107.9447
データ９（単レンズデータ）
レンズ     始面     焦点距離
1         1     -141.3475
2         3      101.8302
3         5      467.7997
4         7       57.3682
5         8      -33.8367
6        11      361.4169
7        13      -24.8182
8        14       26.7337
9        16       41.6103
10        17     -105.3502
データ１０（レンズ群データ）
群   始面    焦点距離  レンズ構成長    前側主点位置  後側主点位置
1      1  -774.36020    65.16140       234.51270     208.54333
2     11   361.41689     2.50000         7.50554       8.50865
3     13    43.96546    34.13860        17.67823      36.23598
（数値実施例３）
数値実施例３のレンズ系は、図９に示した実施の形態３に対応する。数値実施例３のレンズ系の面データをデータ１１に、非球面データをデータ１２に、各種データをデータ１３に、単レンズデータをデータ１４に、ズームレンズ群データをデータ１５に示す。
データ１１（面データ）
面番号         r           d           nd         vd 
物面             ∞        可変                    
1        313.93790     8.00000     1.75520    27.6
2        500.00000        可変                    
3       3392.96640     3.40000     1.68634    44.8
4        105.89870    18.15090     1.75262    30.2
5        290.83070    19.54980                    
6       -189.36680     3.20000     1.70617    48.2
7       7620.41690        可変                    
8        800.00000     3.30000     1.71619    29.3
9        296.59350    21.71790     1.59499    50.1
10*      -158.73260     0.20000                    
11        387.41140     3.10000     1.75411    28.6
12        127.42220     2.40000                    
13        158.15290    15.33240     1.43700    95.1
14       -724.64840        可変                    
15        110.08950    16.55760     1.43700    95.1
16               ∞     0.20000                    
17        133.04920     9.48190     1.49700    81.6
18        507.41770        可変                    
19*       266.32680     1.50000     1.70410    48.4
20         32.89190    11.50000                    
21        -48.29400     1.40000     1.56226    63.8
22        170.65390     0.20000                    
23         74.94580    13.12910     1.75378    29.0
24        -55.97070     1.10000                    
25        -42.91760     1.30000     1.58723    40.4
26       -578.22210        可変                    
27        -66.79670     1.50000     1.69717    49.1
28        179.08850     3.45470     1.92286    18.9
29      35750.45340        可変                    
30(絞り)           ∞     1.80000                    
31        134.34700    10.71350     1.63904    56.9
32        -47.87310     1.50000     1.61359    38.2
33        -61.82290     0.50000                    
34         93.69640    11.43620     1.49363    69.7
35        -47.59610     1.50000     2.00069    25.5
36       -173.34260     0.20000                    
37         62.40810     5.21090     1.60091    61.4
38        208.60170    11.95410                    
39        -84.05870     1.00000     1.71473    34.0
40         39.52550    11.23460     1.75520    27.6
41        -74.82140    10.91620                    
42        -56.28710     1.00000     1.88300    40.8
43         58.81270     3.90000                    
44         71.15110    11.03710     1.51633    64.1
45        -38.43710     2.40000                    
46       1128.10480     5.90110     1.58604    62.2
47        -91.82070     6.77000                    
48         42.11920     5.75250     1.48749    70.2
49        257.31740     2.80000                    
50        -81.40980     1.30000     1.58610    40.5
51        140.21670    41.00000                    
52               ∞     5.00000     1.51680    64.2
53               ∞     1.00000                    
54               ∞      BF                        
像面             ∞                                
データ１２（非球面データ）
第10面
K=-9.89684E-01, A4=-1.72743E-08, A6=-1.74597E-12, A8= 5.03362E-16 
A10=-1.14997E-19, A12= 1.04838E-23 
第19面
K=-1.00000E+02, A4= 1.53284E-06, A6=-5.76575E-10, A8= 9.56858E-13 
A10=-1.60945E-15, A12= 1.85224E-18
データ１３（各種データ）
ズーム比     7.20739
広角無限遠 中間無限遠 望遠無限遠 広角近接  中間近接  望遠近接
焦点距離      30.0000   84.9997  179.9985   31.3364   97.8860  216.2217
Ｆナンバー     2.00005   2.00036   1.99878   2.00010   2.00058   1.99788
画角        27.7800    9.7005    4.6381   25.9956    8.2149    3.4521
像高        15.0000   15.0000   15.0000   15.0000   15.0000   15.0000
レンズ全長    449.9998  449.9997  449.9998  449.9998  449.9998  449.9998
ＢＦ        0.00000   0.00000   0.00000   0.00000   0.00000   0.00000
d0               ∞        ∞        ∞ 1550.0000 1550.0000 1550.0000 
d2          27.4996   27.4996   27.4996   16.1276   16.1276   16.1276 
d7           2.0000    2.0000    2.0000   13.3720   13.3720   13.3720 
d14         11.7526   11.7526   11.7526    3.0000    3.0000    3.0000 
d18          1.5000   61.8189   88.1371   10.2526   70.5716   96.8897 
d26         89.9495   21.8512    4.1100   89.9495   21.8512    4.1100 
d29          1.7976    9.5769    1.0000    1.7976    9.5769    1.0000 
入射瞳位置    178.4880  353.8017  525.9726  175.8769  392.1905  664.6752
射出瞳位置   -222.9517 -222.9517 -222.9517 -222.9517 -222.9517 -222.9517
前側主点位置  204.4528  406.4038  560.6535  202.7994  446.1179  646.4178
後側主点位置  420.0882  365.0575  270.0059  418.1824  347.1323  210.2122
データ１４（単レンズデータ）
レンズ     始面     焦点距離
1         1     1096.8123
2         3     -159.3330
3         4      212.3309
4         6     -261.6149
5         8     -659.9291
6         9      176.9278
7        11     -253.0809
8        13      298.6476
9        15      251.7153
10        17      359.8222
11        19      -53.4390
12        21      -66.7930
13        23       44.4228
14        25      -79.0149
15        27      -69.6093
16        28      195.0261
17        31       56.5283
18        32     -360.5194
19        34       65.6974
20        35      -65.9599
21        37      146.2345
22        39      -37.4878
23        40       35.7581
24        42      -32.4399
25        44       50.0491
26        46      145.1457
27        48      102.4134
28        50      -87.6888
データ１５（ズームレンズ群データ）
群   始面    焦点距離  レンズ構成長    前側主点位置  後側主点位置
1      1  1096.81231     8.00000        -7.55071      -4.02581
2      3  -176.84041    44.30070        27.44001      38.04142
3      8   277.02022    46.05030        16.13142      31.29609
4     15   150.43888    26.23950         3.97362      12.05992
5     19   -42.98799    30.12910         2.71670      10.44601
6     27  -108.79325     4.95470        -0.11366       2.15965
7     30    58.36425   154.82620        36.12333      27.66869
（数値実施例４）
数値実施例４のレンズ系は、図１６に示した実施の形態４に対応する。数値実施例４のレンズ系の面データをデータ１６に、非球面データをデータ１７に、各種データをデータ１８に、単レンズデータをデータ１９に、ズームレンズ群データをデータ２０に示す。
データ７（面データ）
面番号         r           d           nd         vd 
物面             ∞        可変                    
1        692.14790     8.00000     1.48749    70.4
2        500.00000        可変                    
3        585.83820     4.00000     1.68634    44.8
4        110.69000    19.76390     1.75418    28.6
5        225.97960    24.81840                    
6       -254.53590     3.60000     1.48749    70.4
7      -1288.45400        可変                    
8        800.00000     3.30000     1.75134    27.7
9        296.59350    17.04940     1.58405    62.4
10*      -351.37260     0.20000                    
11        224.97680     3.30000     1.75273    30.1
12        133.11640    22.55160     1.43700    95.1
13       -659.45020     0.20000                    
14        130.34320    21.86790     1.43700    95.1
15       -735.47780     0.20000                    
16         97.88680    12.05430     1.49700    81.6
17        121.22930        可変                    
18*      1671.83320     1.50000     1.66814    52.5
19         33.51130    12.89800                    
20        -46.03180     1.40000     1.56384    63.7
21        117.71070     0.20000                    
22         77.55420    13.42660     1.75060    32.7
23        -48.35040     1.10000                    
24        -40.18850     1.30000     1.59495    39.3
25       -152.47610        可変                    
26        -61.28420     1.50000     1.68722    45.0
27        113.13430     3.94400     1.92286    18.9
28        658.31010        可変                    
29(絞り)           ∞     1.80000                    
30        104.84280    11.78950     1.63882    56.9
31        -50.25540     1.50000     1.62872    36.3
32        -62.54550     0.50000                    
33        105.86210    12.36610     1.48757    70.4
34        -43.85670     1.50000     2.00069    25.5
35       -132.56560     0.20000                    
36         60.02360     5.84520     1.62042    60.3
37        253.08560     4.02650                    
38        -84.52050     1.00000     1.70547    33.6
39         39.79650    12.81440     1.75520    27.6
40        -82.71150    10.69640                    
41        -60.95630     1.00000     1.88300    40.8
42         50.98230     4.00000                    
43         66.04750    12.68080     1.53917    65.5
44        -37.24360     3.00000                    
45        139.75350     3.85350     1.64348    56.1
46       -482.04060     6.77000                    
47         46.01000     4.42530     1.48749    70.2
48        169.88490     2.80000                    
49        -97.55110     1.30000     1.62563    35.8
50        228.24190    41.00000                    
51               ∞     5.00000     1.51680    64.2
52               ∞     1.00000                    
53               ∞      BF                        
像面             ∞                                
データ１７（非球面データ）
第10面
K=-4.04386E+00, A4=-2.23382E-09, A6=-5.67700E-13, A8= 3.37143E-16 
A10=-5.36018E-20, A12= 3.24895E-24 
第18面
K=-1.00000E+02, A4= 1.07253E-06, A6= 3.21919E-11, A8= 2.59273E-13 
A10=-1.32082E-15, A12= 1.85224E-18
データ１８（各種データ）
ズーム比     5.17995
広角無限遠 中間無限遠 望遠無限遠 広角近接  中間近接  望遠近接
焦点距離      29.9999   69.9996  149.9991   27.6061   68.7489  155.3981
Ｆナンバー     1.80003   1.80063   1.79987   1.80017   1.80090   1.79898
画角        27.7974   11.8955    5.6078   30.1899   11.9212    5.0963
像高        15.0000   15.0000   15.0000   15.0000   15.0000   15.0000
レンズ全長    480.0000  479.9999  480.0000  480.0000  479.9999  480.0000
ＢＦ        0.00000   0.00000   0.00000   0.00000   0.00000   0.00000
d0               ∞        ∞        ∞ 1520.0000 1520.0000 1520.0000 
d2          56.9857   56.9857   56.9857    8.5369    8.5369    8.5369 
d7           4.0000    4.0000    4.0000   52.4488   52.4488   52.4488 
d17          3.0000   54.5290   84.3625    3.0000   54.5290   84.3625 
d25         84.4725   28.2325    4.1100   84.4725   28.2325    4.1100 
d28          2.5000    7.2109    1.5000    2.5000    7.2109    1.5000 
入射瞳位置    207.7532  353.5010  532.8317  179.8421  313.4241  509.3872
射出瞳位置   -217.4984 -217.4984 -217.4984 -217.4984 -217.4984 -217.4984
前側主点位置  233.6168  400.9759  579.3729  203.9385  360.1843  546.9513
後側主点位置  450.0855  410.0382  329.9798  452.0338  408.7000  312.0406
データ１９（単レンズデータ）
レンズ     始面     焦点距離
1         1    -3745.7104
2         3     -199.5303
3         4      267.9359
4         6     -651.4213
5         8     -629.1021
6         9      278.0721
7        11     -439.9026
8        12      255.6641
9        14      255.3266
10        16      873.1885
11        18      -51.2010
12        20      -58.5091
13        22       41.5795
14        24      -92.1239
15        26      -57.6416
16        27      147.5187
17        30       54.8022
18        31     -426.8989
19        33       65.3711
20        34      -66.0524
21        36      125.3723
22        38      -38.2255
23        39       37.2549
24        41      -31.3099
25        43       46.1539
26        45      168.7785
27        47      127.9390
28        49     -109.0684
データ２０（ズームレンズ群データ）
群   始面    焦点距離  レンズ構成長    前側主点位置  後側主点位置
1      1 -3745.71044     8.00000        19.64110      22.18851
2      3  -329.67074    52.18230        34.20022      44.89549
3      8   118.14765    80.72320        23.23185      49.82029
4     18   -46.49784    31.82460         0.39555       6.82594
5     26   -94.76795     5.44400         0.21462       2.72842
6     29    55.15678   149.86770        35.27763      31.25080  
以下の表１に、各数値実施例のレンズ系における各条件の対応値を示す。
【００８８】
【表１】
2017122861.tif 000005
（条件の対応値）
以上のように、本開示における技術の例示として、実施の形態を説明した。そのために、添付図面および詳細な説明を提供した。
【００８９】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００９０】
また、上述の実施の形態は、本開示における技術を例示するためのものであるから、特許請求の範囲またはその均等の範囲において種々の変更、置き換え、付加、省略などを行うことができる。
【産業上の利用可能性】
【００９１】
本開示は、デジタルスチルカメラ、デジタルビデオカメラ、スマートフォン等の携帯情報端末のカメラ、監視システムにおける監視カメラ、Ｗｅｂカメラ、車載カメラ等に適用可能である。特に本開示は、デジタルスチルカメラシステム、デジタルビデオカメラシステムといった高画質が要求される撮影光学系に適用可能である。
【符号の説明】
【００９２】
Ｇ１    第１レンズ群
Ｇ２    第２レンズ群
Ｇ３    第３レンズ群
Ｇ４    第４レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０  第１０レンズ素子
Ｌ１１  第１１レンズ素子
Ｌ１２  第１２レンズ素子
Ｌ１３  第１３レンズ素子
Ｌ１４  第１４レンズ素子
Ｌ１５  第１５レンズ素子
Ｌ１６  第１６レンズ素子
Ｌ１７  第１７レンズ素子
Ｌ１８  第１８レンズ素子
Ｌ１９  第１９レンズ素子
Ｌ２０  第２０レンズ素子
Ｌ２１  第２１レンズ素子
Ｌ２２  第２２レンズ素子
Ｌ２３  第２３レンズ素子
Ｌ２４  第２４レンズ素子
Ｌ２５  第２５レンズ素子
Ｌ２６  第２６レンズ素子
Ｌ２７  第２７レンズ素子
Ｌ２８  第２８レンズ素子
Ａ      開口絞り
Ｓ      像面
Ｐ      平行平板
１００  レンズ交換式デジタルカメラシステム
１０１  カメラ本体
１０２  撮像素子
１０３  液晶モニタ
１０４  カメラマウント部
２０１  交換レンズ装置
２０２  レンズ系
２０３  鏡筒
２０４  レンズマウント部
２０５  フランジバック調整機構
２０６  操作部
【図１】
2017122861.tif 000006
【図２】
2017122861.tif 000007
【図３】
2017122861.tif 000008
【図４】
2017122861.tif 000009
【図５】
2017122861.tif 000010
【図６】
2017122861.tif 000011
【図７】
2017122861.tif 000012
【図８】
2017122861.tif 000013
【図９】
2017122861.tif 000014
【図１０】
2017122861.tif 000015
【図１１】
2017122861.tif 000016
【図１２】
2017122861.tif 000017
【図１３】
2017122861.tif 000018
【図１４】
2017122861.tif 000019
【図１５】
2017122861.tif 000020
【図１６】
2017122861.tif 000021
【図１７】
2017122861.tif 000022
【図１８】
2017122861.tif 000023
【図１９】
2017122861.tif 000024
【図２０】
2017122861.tif 000025
【図２１】
2017122861.tif 000026
【図２２】
2017122861.tif 000027
【図２３】
2017122861.tif 000028